(57)【要約】【課題】ボイスコイルに接続される引出線がスピーカ装置の各部に接触して異音を発したり、ショート又は断線等が発生するのを抑止し、振動板からの音波と干渉する等、音響特性に悪影響を与えるのを抑止する。【解決手段】このスピーカ装置は磁気回路１、フレーム２、振動体３を備える。フレーム２は磁気回路１、振動体３を支持する。振動体３は振動板２１、ボイスコイルボビン２３、ボイスコイル２４、引出線２７を有する。振動板２１は内周部２１ａから外周部２１ｂまでの間に折り返し部２１ｃを有する。ボイスコイルボビン２３は振動板２１の内周部に取り付けられる。ボイスコイル２４はボイスコイルボビン２３の周面に巻き回される。引出線２７はボイスコイル２４に接続される。振動板２１の背面側には内周部２１ａから折り返し部２１ｃにかけて延在する引出線収容部２１ｄａが形成される。引出線収容部２１ｄａには引出線２７の一部が収容される。【選択図】図１
2009200919.tif 000002
【特許請求の範囲】
【請求項１】
振動体と、磁気回路と、前記振動体と前記磁気回路とを支持するフレームとを備え、
前記振動体は、内周部から外周部までの間に折り返し部を有する振動板と、前記振動板の前記内周部に取り付けられたボイスコイルボビンと、前記ボイスコイルボビンの周面に巻き回されたボイスコイルと、前記ボイスコイルに接続される引出線とを有し、
前記振動板の背面側には、前記内周部から前記折り返し部にかけて延在する引出線収容部が形成され、
前記引出線収容部に前記引出線の一部が収容されている
ことを特徴とするスピーカ装置。
【請求項２】
前記振動体は、前記フレームに支持されるダンパーを有し、
前記振動板は、前記折り返し部が前記ダンパーに取り付けられるとともに、前記折り返し部近傍には、前記引出線収容部と連通する引出部が形成され、前記引出線収容部に収容された前記引出線が前記引出部から引き出されている
ことを特徴とする請求項１に記載されるスピーカ装置。
【請求項３】
前記フレームに支持される端子を備え、
前記引出部から引出される前記引出線は、前記振動板の背面と前記ダンパーとの間を引き回されて前記端子に接続されている
ことを特徴とする請求項２に記載されるスピーカ装置。
【請求項４】
前記引出線収容部は、前記振動板の前面側が凸状となるように形成されている
ことを特徴とする請求項１乃至３のいずれかに記載されるスピーカ装置。
【請求項５】
前記ダンパーの内周部には、折り曲げ部が形成されている
ことを特徴とする請求項２乃至４のいずれかに記載されるスピーカ装置。
【請求項６】
前記ダンパーの前記折り曲げ部は、前記振動板の前記折り返し部に取り付けられている
ことを特徴とする請求項５に記載されるスピーカ装置。
【請求項７】
前記ダンパーは、外周部から前記内周部へ向かって順に、前記フレームに取り付けられる直線部と、第１の曲線部と、凹凸が前記第１の曲線部の凹凸より小さく形成された第２の曲線部とが一体に形成されて構成されている
ことを特徴とする請求項２乃至６のいずれかに記載されるスピーカ装置。
【請求項８】
前記引出線収容部の厚さは、前記振動板の厚さと略等しい
ことを特徴とする請求項１乃至７のいずれかに記載されるスピーカ装置。
【請求項９】
前記磁気回路は、ヨークと、磁石と、プレートとを有し、
前記ヨークは、底板部と、前記底板部を囲む外周側部とを有し、
前記外周側部の上端縁部には、面取りが施されている
ことを特徴とする請求項１乃至８のいずれかに記載されるスピーカ装置。
【請求項１０】
前記振動体は、エッジを備え、
前記振動板は、前記エッジを介して前記フレームに支持されている
ことを特徴とする請求項１乃至９のいずれかに記載されるスピーカ装置。
【請求項１１】
前記振動体は、センターキャップを有し、
前記振動板の前記内周部に前記センターキャップの外周部が取り付けられている
ことを特徴とする請求項１乃至１０のいずれかに記載されるスピーカ装置。
【発明の詳細な説明】
【技術分野】
【０００１】
本発明は、特に、携帯電話、携帯ラジオあるいはＰＤＡ（Personal Digital Assistants）等の携帯用電子機器に搭載されたり、自動車のドア内や液晶ディスプレイ等の平面型表示装置の筐体内等の限られた空間内に取り付けられたりする薄型のスピーカ装置に関する。
【背景技術】
【０００２】
従来のスピーカ装置に用いられるスピーカ用振動板には、コーン型を呈する振動板（以下、「コーン型振動板」という。）の表面又は裏面の全面に、所定の間隔を有して外周部からネック部の中心に向けて渦巻状のリブが一体的に形成されているものがある。このスピーカ用振動板では、上記リブに上記ネック部から外周方向に向けてボイスコイルのリード線引き出し用の凹溝が形成されている。このスピーカ用振動板では、上記凹溝の先端部分に外部リード線と結合させるための透孔が形成されている。この透孔は、コーン型振動板の表裏を貫通するものである。ボイスコイルのリード線は、上記透孔を介して直接コーン型振動板の裏面に引き出されるか又は、上記透孔にハトメ等が装着され、リード線と外部リード線とが結合される（例えば、特許文献１参照。）。ここで、リード線のうち、コーン型振動板の裏面に引き出された部分及び外部リード線を総称して、「引出線」と呼ぶことにする。以下、この技術を第１の従来例と呼ぶ。
【０００３】
また、従来の薄型のスピーカ装置には、内周部がボイスコイルボビンに連結され、外周部がエッジを介してフレームに連結されている振動板を有しているものがある。このスピーカ装置では、上記振動板は、内周部と外周部の間に頂部が形成されている。また、外周部が上記フレームに連結されるとともに、内周部が磁気回路又は上記プレートに連結されたダンパが設けられている。このダンパは、上記外周部と上記内周部の間において、上記振動板の上記頂部を支持している。さらに、上記ボイスコイルボビンに巻き回されたボイスコイルの両端は、それぞれボイスコイルボビン及び振動板に沿って引き出され、振動板の内周部近傍において一対のリード線とそれぞれ接続されている。上記一対のリード線は、振動板に形成された挿通孔内において挿通孔に接触しないように空中配線（スタイリング）され、挿通孔を経由してフレームに固定された正負の入力端子にそれぞれ接続されている（例えば、特許文献２参照。）。以下、この技術を第２の従来例と呼ぶ。
【０００４】
【特許文献１】実開平２−８２９４公報（請求項１，請求項２、第３頁下から６行目〜第７頁第７行目、第１図，第２図）
【特許文献２】特許第３６４３８５５号公報（請求項３，［００２３］，［００３２］〜［００５５］、図１〜図３）
【発明の開示】
【発明が解決しようとする課題】
【０００５】
上記第１の従来例では、上記引出線がスピーカ装置を構成するヨークの外周側部、振動板又はダンパに接触し、異音が生じるおそれがある。また、上記第１の従来例において、ボイスコイルのリード線を上記透孔を介して直接コーン型振動板の裏面に引き出した場合、コーン型振動板の裏面に引き出された部分（引出線）がコーン型振動板の前面側に引出され、コーン型振動板から放射される音波と干渉（共振等）し、上記音波を打ち消す等、スピーカ装置の音響特性に悪影響を与えるおそれがある。さらに、上記第１の従来例では、上記ヨークの外周側部に引出線が接触等し、ショート又は断線等が発生するおそれがある。
【０００６】
また、上記第２の従来例では、振動板に形成した挿通孔に接着剤等を充填して、リード線が振動板に固定され、且つ振動板の動きに伴って移動しないようにしているが、接着剤の充填が不十分な場合や、スピーカ装置に対して強い衝撃が与えられた場合、あるいは振動板の長期間にわたる振動等によって、振動板に対するリード線の固定が緩んでしまうおそれがある。このような場合、リード線が挿通孔に接触して異音が生じてしまう。
【０００７】
本発明は、上述した事情に鑑みてなされたものであり、上述のような問題を解決することを課題の一例とするものであり、これらの課題を解決することができるスピーカ装置を提供することを目的とする。
【課題を解決するための手段】
【０００８】
上記課題を解決するために、請求項１記載の発明に係るスピーカ装置は、振動体と、磁気回路と、前記振動体と前記磁気回路とを支持するフレームとを備え、前記振動体は、内周部から外周部までの間に折り返し部を有する振動板と、前記振動板の前記内周部に取り付けられたボイスコイルボビンと、前記ボイスコイルボビンの周面に巻き回されたボイスコイルと、前記ボイスコイルに接続される引出線とを有し、前記振動板の背面側には、前記内周部から前記折り返し部にかけて延在する引出線収容部が形成され、前記引出線収容部に前記引出線の一部が収容されていることを特徴としている。
【発明を実施するための最良の形態】
【０００９】
図１は、本発明の一実施の形態に係るスピーカ装置の構成を示す断面図、図２は、図１の部分拡大図である。また、図３は、図１に示すスピーカ装置を構成する振動板２１の外観構成を示す斜視図である。このスピーカ装置は、磁気回路１と、フレーム２と、振動体３とを有している。
【００１０】
磁気回路１は、プレート１１を同極同士が対向するように配置された２つの磁石１２及び１３で挟持して構成した反発型であって、内磁型である。また、磁石１３の上面には、プレート１４が載置されている。プレート１１及び１４は、例えば、鉄（例えば、ローカーボンスチール）等の軟質磁性材料からなる。プレート１１及び１４は、いずれも略円盤形状を呈しており、互いの外径は略等しい。プレート１１の上端縁部及び下端縁部並びにプレート１４の上端縁部には、面取りが施されている。プレート１１の面取りは、いずれも、後述するボイスコイルボビン２３との接触を避けるために、所定の間隙（クリアランス）を維持する必要上施されている。一方、プレート１４の面取りは、後述するボイスコイルボビン２３に穿設された貫通孔２３ａを介した空気の流通を容易にするために施されている。
【００１１】
磁石１２及び１３は、例えば、希土類系（例えば、ネオジム系）、サマリウム・コバルト系、アルニコ系、フェライト系磁石等の永久磁石等からなる。磁石１２及び１３は、同一の略円盤形状を呈しており、かつ、同一寸法である。磁石１２及び１３のそれぞれの外径は、プレート１１の外径よりわずかに小さい。プレート１１及び１４と磁石１２及び１３とは、互いの厚み方向の中心軸が重なるように、例えば、接着剤等により固着されている。
【００１２】
一方、磁石１２の下面には、ヨーク１５が例えば、接着剤等により固着されている。ヨーク１５は、例えば、純鉄、無酸素鋼、ケイ素鋼等の磁性材料からなる。ヨーク１５は、底板部１５ａと、張出部１５ｂと、外周側部１５ｃとが一体に形成されて構成されている。底板部１５ａは、略円盤形状を呈している。底板部１５ａの外周部略中央からは、略円環形状を呈する張出部１５ｂが略水平方向に張り出している。外周側部１５ｃは、略円筒状を呈しており、張出部１５ｂの外周部に略垂直に立設されている。底板部１５ａの外径は、磁石１２及び１３の外径に略等しい。外周側部１５ｃの上端面の位置は、底板部１５ａの上面に積層された磁石１２及びプレート１１の上端面の位置に略等しい。また、外周側部１５ｃの内径は、プレート１１の外径よりわずかに大きく、外周側部１５ｃの内周壁と、プレート１１の外周壁との間には、磁気ギャップｇが形成されている。さらに、外周側部１５ｃの上端縁部には、面取りが施されている。この面取りが施されている部分を面取り部１５ｄと称する。この面取り部１５ｄは、後述する振動板２１及び引出線２７との接触を避けるために、所定の間隙（クリアランス）を維持する必要上、施されている。
【００１３】
フレーム２は、例えば、鉄系金属、非鉄金属又はそれらの合金、合成樹脂などから構成されている。鉄系金属としては、例えば、純鉄、無酸素鋼又はケイ素鋼等がある。非鉄金属としては、例えば、アルミニウム、マグネシウム又は亜鉛等がある。合成樹脂としては、例えば、ポリプロピレンなどのオレフィン系、ＡＢＳ（アクリロニトリル・ブダジエン・スチレン）、ポリエチレンテレフタレート系などの熱可塑性樹脂に、補強用フィラーとしてガラス繊維又はフィブリル化したサーモトロピック液晶ポリエステル樹脂を添加してなるものなどがある。フレーム２は、例えば、鉄系金属を絞り成形したり、非鉄金属又はそれらの合金をダイキャスト成形したり、合成樹脂を射出成形したりして形成されている。
【００１４】
フレーム２は、第１層２ａ、第２層２ｂ及び第３層２ｃの３層が一体に構成されている。第１層２ａの外径よりも第２層２ｂの外径が大きく、第２層２ｂの外径よりも第３層２ｃの外径が大きい。第１層２ａは、略円環形状を呈する底板部２ａａと、底板部２ａａの外周部に略垂直に立設された略円筒形状を呈する外周側部２ａｂとが一体に形成されて構成されている。フレーム２は、この底板部２ａａにおいて下方に開口している。第２層２ｂは、略円環形状を呈する底板部２ｂａと、底板部２ｂａの外周部に略垂直に立設された略円筒形状を呈する外周側部２ｂｂとが一体に形成されて構成されている。第２層２ｂの側面には、平面形状が略矩形状を呈する複数の開口部２ｂｃがそれぞれ穿設されている。なお、図１には、一つの開口部２ｂｃだけを示している。第３層２ｃは、略円環形状を呈する底板部２ｃａと、底板部２ｃａの外周部に略垂直に立設された略円筒形状を呈する外周側部２ｃｂとが一体に形成されて構成されている。第３層２ｃの上端外周部には、略円環状を呈するフランジ２ｄが第３層２ｃと一体に形成されて構成されている。フレーム２は、図示しないが、このフランジ２ｄにおいて上方に開口している。
【００１５】
また、第１層２ａの底板部２ａａの内周部には、ヨーク１５を構成する底板部１５ａの下部外周部１５ａａが係合され、下部外周部１５ａａ及び張出部１５ｂの下面１５ｂａと接着剤等により固着されている。これにより、フレーム２は、上記磁気回路１を支持している。また、フレーム２は、第２層２ｂの底板部２ｂａと第３層２ｃの底板部２ｃａにおいて後述する振動体３を支持している。
【００１６】
振動体３は、振動板２１と、エッジ２２と、ボイスコイルボビン２３と、ボイスコイル２４と、ダンパー２５と、センターキャップ２６とを有している。振動板２１は、平面形状が略円環状を呈している。振動板２１の縦断面形状は、内周部２１ａから外周部２１ｂ側であって、かつ、スピーカ装置の背面側（音響放射方向に対し反対側）に向かいつつ、スピーカ装置の前面側（音響放射方向）が凸状となるように所定の曲線（以下、「第１の曲線」という。）を描いて湾曲して折り返し部２１ｃに至る形状を呈している。また、振動板２１の縦断面形状は、折り返し部２１ｃから外周部２１ｂに向かって、スピーカ装置の前面側（音響放射方向）が凸状となるように上記第１の曲線より緩やかな曲線（以下、「第２の曲線」という。）を描いて湾曲して外周部２１ｂに至る形状を呈している。
【００１７】
ここで、振動板２１の内周部２１ａから折り返し部２１ｃまでを第１湾曲部２１ｄと呼び、振動板２１の折り返し部２１ｃから外周部２１ｂまでを第２湾曲部２１ｅと呼ぶことにする。振動板２１の平面形状において、内周部２１ａから折り返し部２１ｃまでの直線距離と、折り返し部２１ｃから外周部２１ｂまでの直線距離の比は、例えば、１：３程度である。また、振動板２１の折り返し部２１ｃは、後述するように、ダンパー２５の内周部近傍前面に接着剤２８により固着されている。
【００１８】
振動板２１の材料としては、例えば、紙、繊維を用いた織布、繊維を用いた編み物、不織布、繊維を用いた織布にシリコーン樹脂等からなる結合樹脂を含浸させたもの、合成樹脂、アクリル発泡体などがある。合成樹脂には、例えば、ポリプロピレン、ポリエチレン、ポリスチレン、ポリエチレンテレフタレート、ポリエチレンナフタレート、ポリメチルメタアクリレート、ポリカーボネイト、ポリアリレート、エポキシ樹脂等などがある。また、アクリル発泡体は、例えば、メタアクリル酸メチルと、メタアクリル酸と、スチレンと、無水マレイン酸と、メタアクリルアミドとを原料とする。
【００１９】
振動板２１を構成する第１湾曲部２１ｄの前面（音響放射方向）の内周部２１ａから折り返し部２１ｃまでには、複数個の引出線収容部２１ｄａが形成されている。図３の例では、３個の引出線収容部２１ｄａが点対称となる位置に形成されている。各引出線収容部２１ｄａは、引出線２７が収容できれば良いので、断面形状は、第１湾曲部２１ｄの背面側（音響放射方向に対し反対側）で凹形状となるのであれば、どのような形状を呈していても良い。引出線収容部２１ｄａの厚さは、振動板２１の厚さと略等しい。このように構成するのは、振動板２１の重量を大きくすることなく、感度を十分に確保するためである。各引出線収容部２１ｄａの下端には、引出線２７をフレーム２を構成する第２層２ｂ側に取り出すための引出部２１ｆが形成されている。
【００２０】
振動板２１の内周部２１ａには、平面形状が略円形状を呈する開口２１ａａが形成されている。開口２１ａａには、略円筒形状を呈するボイスコイルボビン２３の上端近傍外周面が接着剤等により固着されている。ボイスコイル２３の外周面には、略円形状を呈する複数の貫通孔２３ａが穿設されている。各貫通孔２３ａは、スピーカ装置の内部と外部との間で空気を出入りさせるためのものである。すなわち、スピーカ装置の内部が密閉されている場合には、スピーカ装置内の空気が圧縮・膨張し、いわゆるバネ性を帯び、振動板３の動きが抑制され、振動体３の振動特性が著しく劣化してしまうので、貫通孔２３ａを設けてそれを抑止しているのである。
【００２１】
ボイスコイルボビン２３の下端近傍外周面には、ボイスコイル２４が巻き回されている。ボイスコイル２４の両端は、図１及び図２に示すように、それぞれボイスコイルボビン２３に沿って上方へ引き出され、例えば、ボイスコイルボビン２３の上端近傍において一対の引出線２７とそれぞれ電気的に接続されている。引出線２７は、例えば、複数の細い電線を撚り合せて形成された屈曲に強い錦糸線からなる。各引出線２７は、振動板２１を構成する第１湾曲部２１ｄに形成されている引出線収容部２１ｄａのいずれかに収容され、対応する引出線収容部２１ｄａの下端に形成されている引出部２１ｆからフレーム２を構成する第２層２ｂ側に引き出されている。引出線２７が収容された引出線収容部２１ｄａには、例えば、接着剤等が充填され、引出線２７が収容される引出線収容部２１ｄａから脱落することが抑止されている。フレーム２の第２層２ｂの略中央内周面には、略対称となる２箇所に、断面略Ｌ字状を呈する一対の端子２９が取り付けられている。各端子２９には、一対の引出線２７の各一端がそれぞれ電気的に接続されている。
【００２２】
センターキャップ２６は、例えば、ボイスコイルボビン２３の内径に略等しい外径を有する曲面板によって形成されている。ボイスコイルボビン２３の上端には、ボイスコイルボビン２３の上端開口をふさぐとともに、スピーカ装置の前面側（音響放射方向）が凸状となるように、センターキャップ２６が接着剤等により固着されている。このように、センターキャップ２６は、ボイスコイルボビン２３（又は、ボイスコイルボビン２３及び振動板２１）に連結されることにより、ボイスコイルボビン２３及び振動板２１の強度（剛性）を補強し、ボイスコイルボビン２３及び振動板２１の分割振動を極力抑えている。
【００２３】
また、センターキャップ２６は、振動板２１と一体に振動するので、音響エネルギーの一部（主として高音域）の放射を担うとともに、振動板２１の形状に起因した音波の干渉を位相補正してスピーカ装置の音響特性を調整する役割を有している。これにより、センターキャップ２６は、振動板２１の内周部２１ａに形成された開口２１ａａに起因した音響特性の影響を必要に応じて補正している。
【００２４】
一方、振動板２１の外周部２１ｂの背面（音響放射方向に対し反対側）には、平面形状が略円環形状を呈するエッジ２２の内周部２２ａが接着剤等により固着されている。エッジ２２は、適度なコンプライアンスと剛性を兼ね備えている。エッジ２２には、振動板２１の外周部２１ｂと同心円形状にコルゲーションが形成されている。すなわち、エッジ２２の断面形状は、複数の凸部及び凹部とを有している。エッジ２２の外周部下面は、フレーム２を構成する第３層２ｃの底板部２ｃａの上面に接着剤等により固着されている。以上により、振動板２１の外周部２１ｂは、エッジ２２を介してフレーム２に連結されている。すなわち、エッジ２２は、振動板２１をフレーム２に対し、弾性的に支持している。エッジ２２の材料としては、上記した振動板２１の材料の他、例えば、ゴム、ポリウレタン等の樹脂、発泡ゴム、発泡樹脂、又はポリプロピレン等の合成樹脂とタングステン等の金属とからなるハイブリッド材を用いても良い。
【００２５】
ダンパー２５は、適度なコンプライアンスと剛性を兼ね備えている。ダンパー２５は、例えば、布にフェノール系樹脂等又はフェノール系樹脂と有機溶媒とからなる溶液などを含浸し、加熱成形により形成されている。ダンパー２５は、平面形状が略円環形状を呈している。ダンパー２５は、外周部から内周部へ向かって順に、直線部２５ａと、第１の曲線部２５ｂと、第２の曲線部２５ｃと、折り曲げ部２５ｄとが一体に形成されて構成されている。
【００２６】
ダンパー２５を構成する直線部２５ａの下面は、フレーム２を構成する第２層２ｂの底板部２ｂａの上面に接着剤等により固着されている。第１の曲線部２５ｂ及び第２の曲線部２５ｃは、振動板２１の内周部２１ａと同様に、同心円形状を呈している。すなわち、ダンパー２５の第１の曲線部２５ｂ及び第２の曲線部２５ｃの各断面形状は、複数の凸部及び凹部とを有している。第２の曲線部２５ｃの凹凸は、第１の曲線部２５ｂの凹凸より小さく形成されている。これは、第２の曲線部２５ｃの方が第１の曲線部２５ｂよりもスピーカ装置の中心に近いため、振動板２１や引出線２７との接触等の可能性が高いからである。すなわち、第２の曲線部２５ｃの凹凸を小さくすることにより、第２の曲線部２５ｃと振動板２１や引出線２７との接触等を抑止することにより、この接触等に伴う異音の発生を抑止するためである。
【００２７】
ダンパー２５の内周部には、スピーカ装置の前面側（音響放射方向）に略直角に折れ曲がる折り曲げ部２５ｄが形成されている。このダンパー２５の折り曲げ部２５ｄは、振動板２１の折り返し部２１ｃが接着剤２８により固着されている。このように、ダンパー２５の内周部に折り曲げ部２５ｄを設けることにより、ボイスコイル２４が配線されるボイスコイルボビン２３の周面及び振動板２１の引出線収容部２１ｄａに影響を及ぼすことなく、振動板２１、特に、折り返し部２１ｃとダンパー２５との接合面積を確保することができ、接合力を大きくすることができる。また、ダンパー２５の内周部に折り曲げ部２５ｄを設けることにより、振動板２１を大きな振幅にて振動させた場合でも、ダンパー２５の内周部が、ヨーク１５の外周側部１５ｃに接触することが抑止できる。したがって、ダンパー２５の内周部がヨーク１５の外周側部１５ｃに接触することによる異音の発生等を抑止することができる。
【００２８】
一方、ダンパー２５の外周部下面は、フレーム２を構成する第２層２ｂの底板部２ｂａの上面に接着剤等により固着されている。以上により、振動板２１の折り返し部２１ｃは、ダンパー２５を介してフレーム２に連結されている。すなわち、ダンパー２５は、ダンパー２５の内周部においてフレーム２に対し、振動板２１の折り返し部２１ｃを弾性的に支持している。
【００２９】
これにより、ダンパー２５は、スピーカ装置の静止状態（スピーカ装置が駆動されない状態）において、エッジ２２とともに、振動板２１、センターキャップ２６、ボイスコイルボビン２３及びボイスコイル２４をそれぞれスピーカ装置の所定位置において弾性的に支持している。また、ダンパー２５は、ボイスコイル２４及びボイスコイルボビン２３をプレート１１及び１４、磁石１２及び１３等の磁気回路１を構成する部材に接触させない所定位置で弾性的に保持している。
【００３０】
また、ダンパー２５は、スピーカ装置の駆動状態においては、センターキャップ２６、振動板２１、ボイスコイルボビン２３及びボイスコイル２４を振動方向に沿って弾性的に支持する役目も担っている。
【００３１】
上記構成を有するスピーカ装置は、音声信号（音声電流）が供給されると、音声電流が一対の引出線２７を介してボイスコイル２４に供給される。一方、磁気回路１を構成する磁石１２に基づく磁束と、磁石１３に基づく磁束とは、それぞれプレート１１の厚み方向の略中央に向かった後、合成されてプレート１１の外周縁に向かい（径方向）、ボイスコイルボビン２３及びボイスコイル２４の中心軸方向に直交する方向へボイスコイルボビン２３及びボイスコイル２４を透過する。
【００３２】
したがって、上記した磁石１２及び１３に基づく合成磁束とボイスコイル２４に流された音声電流との間の電磁気力（ローレンツ力）に基づいてスピーカ装置の中心軸方向の駆動力がボイスコイル２４に誘起される。この駆動力は、ボイスコイルボビン２３を介して振動板２１に伝達される。振動板２１は、この駆動力の作用を受けて、エッジ２２及びダンパ２５に弾性支持されつつ、振動し、音声電流に応じた音波を前面（音響放射方向）にある空間に向けて放射する。
【００３３】
この実施の形態に係るスピーカ装置は、磁気回路１と、フレーム２と、振動体３とを備えている。フレーム２は、磁気回路１と振動体３とを支持している。振動体３は、振動板２１と、ボイスコイルボビン２３と、ボイスコイル２４と、引出線２７とを有している。振動板２１は、内周部２１ａから外周部２１ｂまでの間に、折り返し部２１ｃを有している。また、ボイスコイルボビン２３は、振動板２１の内周部に取り付けられている。ボイスコイル２４は、ボイスコイルボビン２３の外周面に巻き回されている。引出線２７は、ボイスコイル２４に接続されている。振動板２１の背面側には、内周部２１ａから折り返し部２１ｃにかけて延在する引出線収容部２１ｄａが形成されている。引出線収容部２１ｄａには、引出線２７の一部が収容されている。
【００３４】
したがって、引出線２７がヨーク１５を構成する外周側部１５ｃ、振動板２１及びダンパー２５に接触することを抑止することができ、異音の発生を抑止することができる。また、引出線２７が振動板２１の背面側に引き出されているので、振動板２１から発せられる音波と、引出線２７が振動板３と接触することで生じる異音とが干渉（共振等）し、上記音波を打ち消す等、スピーカ装置の音響特性に悪影響を与えることを抑止することができる。
【００３５】
また、ヨーク１５を構成する外周側部１５ｃに引出線２７が接触等し、ショート若しくは断線等が発生することを抑止することができる。また、引出線収容部２１ｄａに引出線２７が収容されることにより、引出線２７を引き回すためのスペースを削減することができ、振動体２１の振幅を大きくすることができる。さらに、引出線収容部２１ｄａを設けることにより、振動板２１の剛性が従来に比べて大きくなり、分割共振も含めた分割振動の発生を抑止することができる。
【００３６】
また、この実施の形態に係るスピーカ装置では、振動体２１は、フレーム２に支持されるダンパー２５を有している。振動板２１は、折り返し部２１ｃがダンパー２５に取り付けられている。また、折り返し部２１ｃ近傍には、引出線収容部２１ｄａと連通する引出部２１ｆが形成されている。そして、引出線収容部２１ｄａに収容された引出線２７が引出部２１ｆから引き出されている。
【００３７】
このように、引出部２１ｆを設けることにより、振動板２１に貫通孔を穿設することなく、引出線２７を容易に引出すことができ、さらに振動板２１とダンパー２５との接合面積が低減することを抑止することができる。これにより、スピーカ装置の信頼性が高められている。
【００３８】
また、この実施の形態に係るスピーカ装置では、フレーム２に支持される端子２９を備えている。そして、引出部２１ｆから引出される引出線２７は、振動板２１の背面とダンパー２５との間を引き回されて端子２９に接続されている。このように、引出線２７を引き回すスペースを、振動板２１とダンパー２５との間に設け、かつ、振動板２１の折り返し部２１ｃよりも外側に設けることにより、振動板２１が振動するスペースを十分に確保することができ、さらに振動板２１を大きな振幅にて振動させることができる。
【００３９】
また、この実施の形態に係るスピーカ装置では、引出線収容部２１ｄａは、振動板２１の前面側が凸状となるように形成されている。引出線収容部２１ｄａをこのような形状にすることにより、容易に引出線２７を収容することができるとともに、振動板２１の剛性を大きくすることができ、分割振動（分割共振等）の発生を抑止することができる。
【００４０】
また、この実施の形態に係るスピーカ装置では、ダンパー２５の内周部には、折り曲げ部２５ｄが形成されているとともに、ダンパー２５の折り曲げ部２５ｄは、振動板２１の折り返し部２１ｃに取り付けられている。このように構成することにより、ボイスコイル２４が配線されるボイスコイルボビン２３の周面及び振動板２１の引出線収容部２１ｄａに影響を及ぼすことなく、振動板２１、特に、折り返し部２１ｃとダンパー２５との接合面積を確保することができ、接合力を大きくすることができる。また、ダンパー２５の内周部に折り曲げ部２５ｄを設けることにより、振動板２１を大きな振幅にて振動させた場合でも、ダンパー２５の内周部が、ヨーク１５の外周側部１５ｃに接触することがない。したがって、ダンパー２５の内周部がヨーク１５の外周側部１５ｃに接触することによる異音の発生等を抑止することができる。
【００４１】
また、この実施の形態に係るスピーカ装置では、ダンパー２５は、外周部から内周部へ向かって順に、フレーム２に取り付けられる直線部２５ａと、第１の曲線部２５ｂと、凹凸が第１の曲線部２５ｂの凹凸より小さく形成された第２の曲線部２５ｃとが一体に形成されて構成されている。このように構成することにより、第２の曲線部２５ｃと振動板２１や引出線２７との接触等を抑止することができ、この接触等に伴う異音の発生を抑止することができる。
【００４２】
また、この実施の形態では、振動板２１は、上記した構造を有し、その内周部から外周部にわたる振動面が折り返し部２１ｃで折り返されて形成されている。すなわち、折り返し部２１ｃは、ボイスコイル２４の下端と略等しい高さ又はボイスコイル２４の下端より下方に位置している。このため、折り返し部２１ｃから外周部２１ｂまでの高さが振動板２１の全高となる。したがって、振動板２１の全高は、同じ口径（振動板の外径）、ボイスコイル径（振動板の内周部）を有する従来のコーン形振動板に比べて小さく形成することができる。これにより、本実施の形態に係るスピーカ装置は、振動板２１の全高を小さく抑えることができるので、薄型に形成することができる。
【００４３】
また、この実施の形態に係るスピーカ装置は、ボイスコイルボビン２３にダンパ２５が固定されていないので、振動時にダンパ２５がプレート１３にぶつかることがない。この結果、スピーカ装置の最大振幅を大きくすることができるとともに、ボイスコイルボビン２３の全高を小さく抑えることができるので、スピーカ装置を薄型に形成することができる。
【００４４】
また、この実施の形態では、図１に示すように、振動板２１の折り返し部２１ｃを弾性支持するダンパ２５の高さ位置を、電磁気力の作用にて駆動されるボイスコイル２４の高さ位置に近くすることができる。さらに、振動板２１をボイスコイルボビン２３の外径と略同軸であって、ボイスコイルボビン２３の外径よりも大きな円環状を呈する折り返し部２１ｃによって支持するようにしている。したがって、振動板２１、ボイスコイルボビン２３及びボイスコイル２４の振動方向における弾性支持が安定し、これによりスピーカ装置の駆動時においてローリング現象が発生しにくくなる。
【００４５】
以上説明したように、スピーカ装置の駆動時において、振動板２１、ボイスコイルボビン２３及びボイスコイル２４が安定して振動するので、振動板２１においてローリング現象が発生しにくくなり、ボイスコイルボビン２３及びボイスコイル２４が磁石１２やプレート１３に接触することがないので、その分、大きな音声電流を入力し、振動板２１を大きな振幅にて振動させることができる。
【００４６】
以上、本発明の実施の形態について図面を参照して詳述してきたが、具体的な構成はこの実施の形態に限られるものではなく、本発明の要旨を逸脱しない範囲の設計の変更等があっても本発明に含まれる。
例えば、上述の実施の形態では、ダンパー２５は、振動板２１の外周部２１ｂと同心円形状にコルゲーションが形成されている例を示したが、これに限定されず、ダンパー２５にはコルゲーションを形成しなくても良い。同様に、上述の実施の形態では、エッジ２２は、振動板２１の外周部２１ｂと同心円形状に複数のコルゲーションが形成されている例を示したが、これに限定されず、エッジ２２には一つのコルゲーションが形成されていても良い。
【００４７】
また、上述の実施の形態では、スピーカ装置の平面形状が略円形状を呈している例を示したが、これに限定されず、スピーカ装置の平面形状は略矩形状を呈していても良い。さらに、上述の実施の形態では、スピーカ装置の平面形状が略円形状を呈しているため、ヨーク１５は、いずれも略円盤形状を呈する底板部１５ａ及び張出部１５ｂ並びに略円筒形状を呈する外周側部１５ｃを有している例を示したが、これに限定されない。例えば、スピーカ装置の平面形状が略矩形状を呈している場合には、ヨーク１５は、略平板形状を呈していても良い。
【図面の簡単な説明】
【００４８】
【図１】本発明の一実施の形態に係るスピーカ装置の構成を示す断面図である。
【図２】図１の部分拡大図である。
【図３】図１に示すスピーカ装置を構成する振動板の外観構成を示す斜視図である。
【符号の説明】
【００４９】
１…磁気回路、２…フレーム、２ａ…第１層、２ａａ，２ｂａ，２ｃａ…底板部、２ａｂ，２ｂｂ，２ｃｂ…外周側部、２ｂ…第２層、２ｂｃ…開口部、２ｃ…第３層、２ｄ…フランジ、３…振動体、１１，１４…プレート、１２，１３…磁石、１５…ヨーク、１５ａ…底板部、１５ａａ…下部外周部、１５ｂ…張出部、１５ｂａ…下面、１５ｃ…外周側部、１５ｄ…面取り部、２１…振動板、２１ａ…内周部、２１ａａ…開口、２１ｂ…外周部、２１ｃ…折り返し部、２１ｄ…第１湾曲部、２１ｄａ…引出線収容部、２１ｅ…第２湾曲部、２１ｆ…引出部、２２…エッジ、２２ａ…内周部、２３…ボイスコイルボビン、２３ａ…貫通孔、２４…ボイスコイル、２５…ダンパー、２５ａ…直線部、２５ｂ…第１の曲線部、２５ｃ…第２の曲線部、２５ｄ…折り曲げ部、２６…センターキャップ、２７…引出線、２８…接着剤、２９…端子
【図１】
2009200919.tif 000003
【図２】
2009200919.tif 000004
【図３】
2009200919.tif 000005